(57)【要約】【課題】予めセット物を用意する必要がなくなり、複数の容器の群を簡単に包装できることにより、顧客が望んだ態様で顧客にお渡しできる包装物品を提供する。【解決手段】包装物品は、被収納物Ｋを収納する複数の容器２０は同じ高さを有していて下部包装ケース１０に載置されている。下部包装ケース１０は、容器群の下部を覆う底板１１と底板１１の周縁から立設した第１側壁１２を有する。上部包装ケース３０は、容器群の上部を覆う天板３１と該天板３１の周縁から垂下した第２側壁３２を有する。包装物品は、下部包装ケース１０と上部包装ケース３０と容器群を上下に重ね合わせた状態を保持するバインド部材４０とを有し、第１側壁１２と第２側壁３２の高さの合計値が、容器群の高さよりも短くされて、第１側壁１２と第２側壁３２間から一部の容器群の側面が露出する。【選択図】図２
0003208323.tif 000002
【実用新案登録請求の範囲】
【請求項１】
同じ高さを有するとともに、被収納物を収納した容器が複数個隣接して配置された容器群と、
前記複数個の容器群の下部を覆う底板と該底板の周縁から立設した第１側壁を有する有底箱状の下部包装ケースと、
前記複数個の容器群の上部を覆う天板と該天板の周縁から垂下した第２側壁を有する有蓋箱状の上部包装ケースと、
前記下部包装ケースと前記上部包装ケースと前記容器群を上下に重ね合わせた状態を保持するバインド部材とを有し、
前記第１側壁と前記第２側壁の高さの合計値が、前記容器の高さよりも短くされて、前記第１側壁と前記第２側壁の間から前記容器群のうち、少なくとも一部の容器の側面が露出されている包装物品。
【請求項２】
前記容器は、該容器に収納した被収納物の種類毎に、自身が有する周面の少なくとも一部に、異なる意匠が施されている請求項１に記載の包装物品。
【請求項３】
前記上部包装ケースが、前記容器群に支持されている請求項１または請求項２に記載の包装物品。
【請求項４】
前記容器群には、上部が開口する無蓋の有底箱状をなす容器が含まれている請求項１乃至請求項３のうちいずれか１項に記載の包装物品。
【請求項５】
前記有底箱状をなす容器は、相互に同じ大きさで形成されている請求項１乃至請求項４のうちいずれか１項に記載の包装物品。
【請求項６】
前記有底箱状をなす容器は、四角箱状に形成されている請求項４または請求項５に記載の包装物品。
【請求項７】
前記容器群を構成する容器には、正方形の底壁を有する小容器と、該底壁の整数倍となる長方形の底壁を有する大容器とを含む請求項１乃至請求項６のうちいずれか１項に記載の包装物品。
【請求項８】
前記容器群を構成する容器には、蓋がされた瓶状の容器を含む請求項１乃至請求項７のうちいずれか１項に記載の包装物品。
【考案の詳細な説明】
【技術分野】
【０００１】
本考案は、複数個の容器を含む容器群が包装された包装物品に関する。
【背景技術】
【０００２】
従来から、複数種類の菓子類がある場合、販売店で限られた種類の菓子毎に、あるまとまった数を組み合わせることにより予めセット物として用意されている。そして、これらのセット物を購買者が購入することはよく行われている。
【考案の概要】
【考案が解決しようとする課題】
【０００３】
ところで、菓子類の種類が多くなると、異なった種類の組合せも多くなることから、セット物の種類も多くなる。このことから、用意できるセット物の種類の数にも限界がある。また、顧客側では、セット物で用意された菓子類の個数では、希望する個数よりも多かったり、或いは少なかったりする場合がありセット物では不十分のものとなることもある。そこで、顧客が望む菓子類の種類、或いは当該種類の菓子類の個数を、顧客が望んだ態様で包装物品として顧客にお渡しできれば、顧客満足度を高くできて好ましいものとなる。
【０００４】
本考案の目的は、予めセット物を用意する必要がなくなり、複数の容器の群を簡単に包装できることにより、顧客が望んだ態様で顧客にお渡しできる包装物品を提供することにある。
【課題を解決するための手段】
【０００５】
上記問題点を解決するために、本考案の包装物品は、同じ高さを有するとともに、被収納物を収納した容器が複数個隣接して配置された容器群と、前記複数個の容器群の下部を覆う底板と該底板の周縁から立設した第１側壁を有する有底箱状の下部包装ケースと、前記複数個の容器群の上部を覆う天板と該天板の周縁から垂下した第２側壁を有する有蓋箱状の上部包装ケースと、前記下部包装ケースと前記上部包装ケースと前記容器群を上下に重ね合わせた状態を保持するバインド部材とを有し、前記第１側壁と前記第２側壁の高さの合計値が、前記容器の高さよりも短くされて、前記第１側壁と前記第２側壁の間から前記容器群のうち、少なくとも一部の容器の側面が露出されているものである。
【０００６】
上記の構成によれば、容器群を下部包装ケースに載置した状態で、該容器群に上部包装ケースを被せて、バインド部材にてバインドすれば、簡単に包装できる。また、容器群を構成する各容器は同じ高さを有しているため、同じ高さでない場合に比して、上部包装ケースを容器群への被せを簡単に行うことができ、また、上部包装ケースと下部包装ケースとにより、容器群を重ね合わせた場合、第１側壁と第２側壁間から、容器群を構成する容器が脱落することがない。
【０００７】
また、前記容器は、該容器に収納した被収納物の種類毎に、自身が有する周面の少なくとも一部に、異なる意匠が施されていることが好ましい。
上記の構成によれば、第１側壁と第２側壁間から、容器の周面の意匠を見ることができる。この結果、異なる意匠を有する容器を識別でき、購買した被収納物がどの容器にあるのかを購買者は確認することができる。
【０００８】
また、前記上部包装ケースが、前記容器群に支持されていてもよい。
上記の構成によれば、上部包装ケースが直に容器群に支持されるため、下部包装ケース及び、上部包装ケースの高さを高くする必要がない。
【０００９】
また、前記容器群には、上部が開口する無蓋の有底箱状をなす容器が含まれていてもよい。上記の構成によれば、各容器に被収納物を予め収納した状態でお店で陳列した際、購買者は、容器が無蓋であるため、容器の被収納物である中身を即座に確認できる。
【００１０】
また、前記有底箱状をなす容器は、相互に同じ大きさで形成されていることが好ましい。上記の構成によれば、容器が同じ大きさで形成されていることにより、下部包装ケースと上部包装ケースとを重ね合わせる際、簡単に包装できる。
【００１１】
また、前記有底箱状をなす容器は、四角箱状に形成されていてもよい。上記の構成によれば、各容器が四角箱状となっていることにより、列状、または行列状に配置することにより、下部包装ケースと上部包装ケースとを重ね合わせる際、簡単に包装できる。
【００１２】
また、前記容器群を構成する容器には、正方形の底壁を有する小容器と、該底壁の整数倍となる長方形の底壁を有する大容器とを含むようにしてもよい。上記の構成によれば、容器の大きさに合わせた被収納物を収納することができる。
【００１３】
また、前記容器群を構成する容器には、蓋がされた瓶状の容器を含むようにしてもよい。上記の構成によれば、瓶状の容器内に入った被収納物も顧客が望む態様で顧客にお渡しできる。
【考案の効果】
【００１４】
本考案によれば、予めセット物を用意する必要がなくなり、複数の容器の群を簡単に包装できることにより、顧客が望む態様で顧客にお渡しできる効果がある。
【図面の簡単な説明】
【００１５】
【図１】第１実施形態の包装物品の斜視図。
【図２】第１実施形態の包装物品の分解斜視図。
【図３】第２実施形態の包装物品の斜視図。
【図４】第２実施形態の包装物品において、上部包装ケース３０を取り去った状態の分解斜視図。
【図５】第３実施形態の包装物品の斜視図。
【図６】第４実施形態の包装物品の上部包装ケースを省略した平面図。
【図７】第５実施形態の包装物品の上部包装ケースを省略した平面図。
【図８】第６実施形態の包装物品の上部包装ケースと分離した状態の側面図。
【考案を実施するための形態】
【００１６】
（第１実施形態）
図１及び図２を参照して、本考案を具体化した第１実施形態の包装物品を説明する。
本実施形態の包装物品は、下部包装ケース１０と、下部包装ケース１０にそれぞれ隣接して載置された複数の容器２０と、複数の容器２０を覆う上部包装ケース３０と、下部包装ケース１０、複数の容器２０、及び上部包装ケース３０を重ね合わせた状態でバインドするバインド部材４０とを有している。ここで、複数の容器２０が隣接して配置されたものは、容器群に相当する。下部包装ケース１０、容器２０、及び上部包装ケース３０は、本実施形態では紙製であるが、これらの材質は限定するものではなく、例えば合成樹脂製であってもよい。
【００１７】
各容器２０は、上部が開口した無蓋の有底箱状であって立方体に形成されており、相互に同じ大きさ及び形状を有している。従って、各容器２０は同じ高さを有している。なお、容器２０は、立方体となっていることから、容器２０の底壁は正方形である。また、容器２０の底壁２０ａの下面及び底壁２０ａから立設した４方の側壁２０ｂの外面は、同一色が施されている。また、容器２０内には、本実施形態では、菓子（例えば、ケーキ）等が被収納物Ｋとして収納されている。容器２０の側壁２０ｂは、前記被収納物Ｋの種類毎に相互に異なる特定の色が施されている。
【００１８】
なお、本実施形態では、被収納物Ｋが異なる毎に、意匠の要素として特定の色（色彩）が施されているが、色に限定するものではなく、意匠の要素としての特定の模様、特定の記号、特定のキャラクタでもよく、或いは、これらを組み合わせて、被収納物Ｋが異なる毎に、いずれかの意匠の要素が少なくとも一つが異なるようにしてもよい。ここで、意匠とは、形状、模様、色彩、またはそれらの結合をいう。
【００１９】
このように容器２０内に収納されている被収納物Ｋが異なる毎に容器２０の側壁２０ｂに異なる意匠を有していることにより、容器２０内に収納した被収納物Ｋの識別が、容器２０の側壁２０ｂを外部から見ただけで可能となる。
【００２０】
図２に示すように、下部包装ケース１０は、長方形の底板１１と、底板１１の四方の周縁から立設した第１側壁１２を有しており、有底の四角箱状に形成されている。
下部包装ケース１０の長手方向の内寸は、容器２０の側壁２０ｂの高さ方向（すなわち、上下方向）とは直交する長さの２以上の整数倍となっているとともに、短手方向の内寸は、容器２０の側壁２０ｂの高さ方向とは直交する長さの１倍となっている。このように下部包装ケース１０の内寸が設定されていることにより、図１に示すように下部包装ケース１０には、１列状に２以上の整数倍の容器２０が配列可能となっている。本実施形態では、下部包装ケース１０に、５個の容器２０が互いに隙間なく接して列状に配置されている。
【００２１】
図２に示すように、上部包装ケース３０は、長方形の天板３１と、天板３１の四方の周縁から垂下した第２側壁３２を有しており、有蓋の四角箱状に形成されている。
上部包装ケース３０は、上下を反転すれば、下部包装ケース１０と同じ外形形状であって同じ大きさ及び内寸を有している。
【００２２】
また、第１側壁１２と第２側壁３２の高さの合計値は、容器２０の高さよりも短くされている。第１側壁１２及び第２側壁３２のそれぞれの高さは、本実施形態では、容器２０の高さの略１／３程度としているが、この数値に限定するものではない。従って、本実施形態では、図１に示すように、各容器２０が、下部包装ケース１０、上部包装ケース３０に重ね合わされた状態では、容器２０の第１側壁１２、第２側壁３２に臨む側壁２０ｂの外面において、高さ方向の中央部を含めた略１／３の領域が外部に露出される。図１に示すようにバインド部材４０は、下部包装ケース１０、複数の容器２０及び上部包装ケース３０を重ねた状態を保持を行うものであり、これらの部材を束ねている。本実施形態ではバインド部材４０は、ゴム輪からなるが、ゴム輪に限定するものではなく、テープ、ひも状部材、スカーフ、風呂敷等のものであってもよい。
【００２３】
（実施形態の作用）
上記のように構成された包装物品の作用を説明する。なお、この包装物品を扱う店を菓子店とする。例えば、被収納物Ｋが予め収納された容器２０を、店頭で顧客が選ぶ。顧客が選択した被収納物Ｋは、同じ種類のものであったり、異なる種類のものであったりするため、選択した被収納物Ｋを収容する容器２０の側壁２０ｂの意匠は同じものであったり、或いは異なっていたりする。
【００２４】
図２に示すように、店員は、選ばれた５個の被収納物Ｋ（容器２０）を、下部包装ケース１０内に一列状に載置する。このとき、容器２０の開口した上部を上にする。また、一列状に配置した被収納物Ｋ（容器２０）には、各容器２０の開口を覆うように上部包装ケース３０を被せる。この状態で、上部包装ケース３０は、各容器２０により支持される。この後、バインド部材４０にてバインドして下部包装ケース１０、容器２０及び上部包装ケース３０を上下に重ね合わせた状態に保持する。この状態では、下部包装ケース１０の底板１１が容器群の下部を覆い、上部包装ケース３０の天板３１が、容器群の上部を覆うことになる。
【００２５】
そして、図２に示すようにこの状態で下部包装ケース１０の第１側壁１２と上部包装ケース３０の第２側壁３２間からは、各容器２０の側壁２０ｂの一部が露出する。これにより、顧客は、側壁２０ｂの露出した部分の意匠を視認することができる。
【００２６】
本実施形態では、下記の特徴を有する。
（１）本実施形態の包装物品では、同じ高さを有するとともに、被収納物Ｋを収納した容器２０が複数個隣接して配置された容器群を有する。また、包装物品は前記容器群の下部を覆う底板１１と底板１１の周縁から立設した第１側壁１２を有する有底箱状の下部包装ケース１０と、前記容器群の上部を覆う天板３１と該天板３１の周縁から垂下した第２側壁３２を有する有蓋箱状の上部包装ケース３０を備えている。また、包装物品は、下部包装ケース１０と上部包装ケース３０と容器群を上下に重ね合わせた状態を保持するバインド部材４０とを有し、第１側壁１２と第２側壁３２の高さの合計値が、容器群の高さよりも短くされて、第１側壁１２と第２側壁３２間から一部の容器群の側面が露出する。
【００２７】
この結果、容器群を下部包装ケース１０に載置した状態で、該容器群に上部包装ケース３０を被せて、バインド部材４０にてバインドすれば、簡単に包装できる。また、容器群を構成する各容器２０は同じ高さを有しているため、同じ高さでない場合に比して、上部包装ケース３０を容器群への被せを簡単に行うことができ、また、上部包装ケース３０と下部包装ケース１０とにより、容器群を重ね合わせた場合、第１側壁１２と第２側壁３２間から、容器群を構成する容器が脱落することがない。
【００２８】
そして、店舗では予めセット物を用意する必要がなくなり、複数の容器の群を簡単に包装できることにより、顧客が望む菓子類の種類、或いは当該種類の菓子類の個数を、顧客が望んだ態様で顧客にお渡しできる。
【００２９】
（２）本実施形態の包装物品では、容器群は、該容器２０に収納した被収納物Ｋの種類毎に、自身が有する周面に異なる意匠（色彩）が施されている。このようにして、第１側壁と第２側壁間から、容器の周面の意匠を見ることができ、この結果、異なる意匠を有する容器を識別でき、購買した被収納物がどの容器にあるのかを購買者は確認することができる。
【００３０】
（３）本実施形態の包装物品では、上部包装ケース３０が、容器群に支持されているため、下部包装ケースの高さを高くする必要がない。
（４）本実施形態の包装物品では、容器群には、上部が開口する無蓋の有底箱状をなす容器が含まれている。この結果、各容器に被収納物を予め収納した状態でお店で陳列した際、購買者は、容器が無蓋であるため、容器の被収納物である中身を即座に確認できる。
【００３１】
（５）本実施形態の包装物品では、無蓋の有底箱状をなす容器は、相互に同じ大きさで形成されていることにより、下部包装ケースと上部包装ケースとを重ね合わせる際、簡単に包装できる。
【００３２】
（６）本実施形態の包装物品では、前記無蓋の有底箱状をなす容器は、四角箱状に形成されていることにより、列状に配置することにより、下部包装ケースと上部包装ケースとを重ね合わせる際、簡単に包装できる。
【００３３】
（第２実施形態）
図３及び図４を参照して第２実施形態の包装物品を説明する。なお、本実施形態を含めた以下で説明する各実施形態では第１実施形態の包装物品を構成する部材と同一または相当するもの対しては同一符号を付す。
【００３４】
本実施形態の包装物品は、下部包装ケース１０及び上部包装ケース３０の大きさが第１実施形態と異なるとともに、容器２０の個数が第１実施形態と異なっている。なお、本実施形態の容器２０の大きさ、及び形状は、第１実施形態の容器２０と同じである。
【００３５】
具体的には、本実施形態の下部包装ケース１０及び上部包装ケース３０は、底板１１、天板３１が相互に同一の正方形状となっており、一方向側の内寸は、容器２０の同方向の外寸に対して２以上の整数倍となっている。本実施形態では、この整数倍を３倍としているが、この数値に限定するものではない。
【００３６】
下部包装ケース１０の底板１１の周縁に立設した第１側壁１２の高さ、及び上部包装ケース３０の天板３１の周縁から垂下した第２側壁３２の高さは、第１実施形態と同様の高さとしている。
【００３７】
図３及び図４に示すように本実施形態では、下部包装ケース１０の底板１１に対して、９つの容器２０が３×３の行列状となるように互いに隣接するように載置され、この状態で上部包装ケース３０が容器群のそれぞれの容器２０の開口を覆うようにして配置されている。そして、この状態で、上部包装ケース３０は、各容器２０により支持されている。また、包装物品は、バインド部材４０にてバインドされて下部包装ケース１０、容器２０及び上部包装ケース３０を上下に重ね合わせた状態で保持されている。
【００３８】
また、図３に示すようにこの状態で下部包装ケース１０の第１側壁１２と上部包装ケース３０の第２側壁３２間からは、容器群の最外周に位置する各容器２０の側壁２０ｂの一部が露出されている。
【００３９】
この結果、本実施形態においても、第１実施形態と同様の（１）〜（６）の作用効果を奏する。
（第３実施形態）
図５を参照して第３実施形態の包装物品を説明する。本実施形態の包装物品は、下部包装ケース１０及び上部包装ケース３０の大きさが第１実施形態と異なるとともに、容器２０の個数が第１実施形態と異なっている。なお、本実施形態の容器２０の大きさ及び形状は、第１実施形態の容器２０と同じである。
【００４０】
具体的には、本実施形態の下部包装ケース１０及び上部包装ケース３０は、底板１１、天板３１が相互に同一の長方形状となっている。すなわち、一方向側の内寸は、容器２０の同方向の外寸に対して整数ｎ（＞２）倍となっており、一方向と直交する他方向側の内寸は、容器２０の同方向の外寸に対して整数ｍ（＞ｎ）倍となっている。本実施形態では、この整数ｎを３とし、整数ｍを６としている。他の構成は、第１実施形態と同様である。
【００４１】
図５に示すように本実施形態では、下部包装ケース１０の底板１１に対して、１８つの容器２０が３×６の行列状となるように互いに隣接するように載置され、この状態で上部包装ケース３０が容器群のそれぞれの容器２０の開口を覆うようにして配置されている。そして、この状態で、上部包装ケース３０は、各容器２０により支持されている。また、包装物品は、バインド部材４０にてバインドされて下部包装ケース１０、容器２０及び上部包装ケース３０を上下に重ね合わせた状態で保持されている。また、図５に示すようにこの状態で下部包装ケース１０の第１側壁１２と上部包装ケース３０の第２側壁３２間からは、容器群の最外周に位置する各容器２０の側壁２０ｂの一部が露出されている。
【００４２】
本実施形態においても、第１実施形態と同様の（１）〜（６）の作用効果を奏する。
（第４実施形態）
図６を参照して第４実施形態の包装物品を説明する。図６は、説明の便宜上、バインド部材４０及び上部包装ケース３０を取り除いて下部包装ケース１０内に容器２０及び容器２０Ａが配置された平面図である。
【００４３】
図６に示すように本実施形態は、第１実施形態の変形例であって、無蓋有底箱状の容器２０Ａと、３つの容器２０が列状に配置されたところが第１実施形態の包装物品と異なっており、他の構成は第１実施形態と同様である。容器２０の外寸の大きさを、Ｌ（一方向の長さ）×Ｌ（他方向の長さ）×Ｈ（高さ）とした時、容器２０Ａは、Ｌ（一方向の長さ）×２Ｌ（他方向の長さ）×Ｈ（高さ）としている。従って、容器２０Ａは、容器２０よりも容積を２倍としている。容器２０は小容器に相当し、容器２０Ａは大容器に相当する。なお、本実施形態では、Ｌ＝Ｈとしているが、Ｌ≠Ｈとしてもよい。
【００４４】
このようにすると、包装物品は、容器２０Ａがあるため、容器２０に収納された被収納物Ｋよりも２倍の大きさの被収納物Ｋ１を収納することができ、すなわち、容器の大きさに合わせた被収納物を収納することができる。
【００４５】
なお、容器２０Ａの大きさは、容器２０の２倍に限定するものではなく、容器２０の３倍以上としてもよい。
（第５実施形態）
図７を参照して第５実施形態の包装物品を説明する。図７は、説明の便宜上、バインド部材４０及び上部包装ケース３０を取り除いて下部包装ケース１０内に容器２０及び容器２０Ａが配置された平面図である。
【００４６】
図７に示すように本実施形態は、第２実施形態の変形例であって、３つの無蓋有底箱状の容器２０Ａと、３つの容器２０が列状に配置されたところが第２実施形態の包装物品と異なっており、他の構成は第２実施形態と同様である。具体的には、容器２０Ａと容器２０とにより１列分が構成されて、合わせて３列となるように下部包装ケース１０上に載置されている。本実施形態においても、第３実施形態と同様の効果を奏する。
【００４７】
（第６実施形態）
図８を参照して第６実施形態を説明する。図８は、第１実施形態の変形例であって、第１実施形態の容器群のうち、１つの容器２０を瓶状の容器５０に代えたものである。容器５０は、その高さが容器２０と同一の高さを有していて、全体の大きさは、容器２０の１個分が収まる空間内に入る大きさとなっていれば、その外形形状は問わない。本実施形態では、容器５０の上部は、上方へ行くほど先細りとなる逆漏斗状を有し、上端の開口は蓋５１により閉塞されている。容器５０内には、液状等の流動性のある食物が封入されている。
【００４８】
本実施形態によれば、瓶状の容器内に入った被収納物も顧客が望む態様で顧客にお渡しできる。
なお、本考案の実施形態は前記実施形態に限定されるものではなく、下記のように変更しても良い。
【００４９】
・前記実施形態では、容器２０を無蓋の有底箱状としたが、有蓋有底の箱状としてもよい。
・前記実施形態では、容器２０を立方体とし、容器２０Ａを直方体としたが、これらに限定するものではなく、例えば、円筒形状、楕円筒形状等の他の形状であってもよい。
【００５０】
・前記実施形態では、容器２０を直方体としてもよい。
【符号の説明】
【００５１】
１０…下部包装ケース、１１…底板、１２…第１側壁、
２０…容器、２０ａ…底壁、２０ｂ…側壁、
３０…上部包装ケース、３１…天板、３２…第２側壁、
４０…バインド部材、５０…容器、５１…蓋、
Ｋ…被収納物。
【図１】
0003208323.tif 000003
【図２】
0003208323.tif 000004
【図３】
0003208323.tif 000005
【図４】
0003208323.tif 000006
【図５】
0003208323.tif 000007
【図６】
0003208323.tif 000008
【図７】
0003208323.tif 000009
【図８】
0003208323.tif 000010